(57)【要約】【課題】模擬銃の標的を構成するとともに、ゲームを楽しむこともできる模擬銃用ルーレット式ターゲット装置を提供する。【解決手段】数字に代表される表示を回転面に複数個配列し、その表示を覆った標的片に弾丸が命中することにより表示を露出させることができるターゲット装置について、装置本体の正面に開口部１２を有する正面板１３を具備し、係合部材との一時的係合によって駆動された後に自由に回転可能な回転表示板１５を正面板の背後に配置し、回転表示板の表示の内の少なくとも１箇所の表示をあらわす窓口１７を有し、他の表示を覆い隠す標的片１６を上記正面板と回転表示板との間に配置し、上記標的片１６の下部を前記開口部に配置して弾丸を受ける標的部１８とし、落下した標的片を上記窓口に嵌め合わせるリセット機構を具備する。【選択図】          図１
2010035883.tif 000002
【特許請求の範囲】
【請求項１】
数字に代表される表示を回転面に複数個配列し、その表示を覆った標的片に弾丸が命中することにより表示を露出させることができるターゲット装置であって、
装置本体の正面に弾丸を当てる標的の一部を構成する開口部を有する正面板を具備し、
係合部材との一時的係合によって駆動された後に自由に回転可能な回転表示板を正面板の背後に配置し、
回転表示板の複数個の表示の内の少なくとも１箇所の表示をあらわす窓口を有するとともに、他の表示を覆い隠す標的片を上記正面板と回転表示板との間に配置し、
上記１個の表示をあらわす窓口を有する標的片の下部を前記開口部に配置して弾丸を受ける標的部とするとともに、弾丸の命中により標的片が落下可能に上記標的部にて開口部の縁に係止し、落下した標的片を上記窓口に嵌め合わせるリセット機構を具備して成る
模擬銃用ルーレット式ターゲット装置。
【請求項２】
回転表示板、回転表示板と係合する係合部材、回転表示板の表示をあらわす窓口は夫々複数個ずつ、窓口が横一列に並ぶように設けられており、複数個の係合部材は、それらを駆動機構により同時に駆動するように構成された請求項１記載の模擬銃用ルーレット式ターゲット装置。
【請求項３】
回転表示板は所望の歯数を有する回転歯車を具備し、上記歯車に噛み合い、また離れるように設けられたラックの移動によって一時的に駆動され、その後自由回転可能に設けられている請求項１記載の模擬銃用ルーレット式ターゲット装置。
【発明の詳細な説明】
【技術分野】
【０００１】
本発明は、数字に代表される表示を回転面に複数個配列し、その表示を覆った標的片に弾丸が命中することにより表示を露出させることができる模擬銃用ルーレット式ターゲット装置に関するものである。
【背景技術】
【０００２】
エアソフトガンなどとも呼ばれる模擬銃は、例えば６ｍｍの球状弾丸を使用し、若年層から青少年層あるいはそれ以上の年代層に渡って広く愛用され、それぞれの年代に応じた遊び方がなされている。模擬銃を対象としたターゲット装置には様々なものがあるが、多くは弾丸の命中を競う遊び方であり、標的を倒したり、弾き飛ばしたり、或いは孔をあけたりというようなものがほとんどであった。
【０００３】
ターゲット装置の出願例としては例えば実開平６−８０４７９号があり、それは中心部にほぼ三角形などの貫通口を開けた肉厚の回転基体を支持棒に回転可能にセットし、回転基体には標的を設けて、命中すると基体が回転し次の位置にて止まるという構成を有する。このためリセットの必要がないが、命中したかどうかが目的でありゲーム性はない。また特開２００６−２５８５１号のものは、遊戯ステーション上に設けたルーレット装置を備えているが、ルーレット装置それ自体は当選した遊戯者に払い出されるメダルの枚数を表示するに過ぎず、ゲームを構成するものではない。
【０００４】
【特許文献１】実開平６−８０４７９号
【特許文献２】特開２００６−２５８５１号
【発明の開示】
【発明が解決しようとする課題】
【０００５】
本発明は前記の点に着目してなされたもので、その課題は、模擬銃の標的を構成するとともに、ゲームを楽しむこともできる模擬銃用ルーレット式ターゲット装置を提供することである。
【課題を解決するための手段】
【０００６】
前記の課題を解決するため、本発明は数字に代表される表示を回転面に複数個配列し、その表示を覆った標的片に弾丸が命中することにより表示を露出させることができるターゲット装置について、
装置本体の正面に弾丸を当てる標的の一部を構成する開口部を有する正面板を具備し、
係合部材との一時的係合によって駆動された後に自由に回転可能な回転表示板を正面板の背後に配置し、
回転表示板の複数個の表示の内の少なくとも１箇所の表示をあらわす窓口を有するとともに、他の表示を覆い隠す標的片を上記正面板と回転表示板との間に配置し、
上記１個の表示をあらわす窓口を有する標的片の下部を前記開口部に配置し、弾丸を受ける標的部とするとともに、弾丸の命中により標的片が落下可能に上記標的部にて開口部の縁に係止し、落下した標的片を上記窓口に嵌め合わせるリセット機構を具備する
という手段を講じたものである（請求項１）。
【０００７】
本発明の対象とするターゲット装置は、標的片に弾丸が命中することにより表示を露出させるものであり、その表示として数字を使用することができることからルーレット式というものである。回転表示板に一桁の数字だけを表示する場合、回転表示板が１個であれば当てる対象の数字は一桁つまり０〜９であり、回転表示板が２個であれば当てる対象の数字は０〜９９となり、同様に３個の場合には０〜９９９となる。なお、回転表示板に一桁の数字だけを表示すると限定する必要はない。
【０００８】
本発明の装置は、装置本体の正面に、弾丸を当てる標的の一部を構成する開口部を有する正面板を具備している。標的の一部とは命中する弾丸を通過させる部分のことである。回転表示板は上記正面板の背後に配置され、係合部材との一時的係合で駆動されることによって回転する、つまり一時的係合によって駆動された後に自由に回転可能になる。一時的係合で回転表示板に回転力が与えられ、その後回転表示板は自由回転可能となり、やがて偶然によって決まる位置で停止する。即ちゲーム性を有する。
【０００９】
回転表示板の複数個の表示の内の少なくとも１箇所の表示をあらわす窓口を有するとともに、他の表示を覆い隠す標的片を上記正面板と回転表示板との間に配置する。ゲームなどを目的として本装置を使用するときに、当てる対象の表示だけを標的片の窓口に表わさせるためである。
【００１０】
上記１個の表示をあらわす窓口を有する標的片の下部を前記開口部に配置し、弾丸を受ける標的部とするとともに、弾丸の命中により標的片が落下可能に上記標的部にて開口部の縁に係止する構成とする。従って、標的片は回転表示板面の表示が見えないように覆い隠しておくカバーであり、かつまた、実際に弾丸の命中する部分であるから、文字通り標的となる箇所である。
【００１１】
弾丸の命中により落下した標的片を上記窓口に嵌め合わせるリセット機構を具備する。上記リセット機構は、回転表示板が複数個ある場合には、それら複数個の回転表示板の表示を覆う標的片を同時にリセットする方式を取ることができる。即ち回転表示板、回転表示板と係合する係合部材、回転表示板の表示をあらわす窓口は夫々複数個ずつ、窓口が横一列に並ぶように設け、複数個の係合部材が、それらを駆動機構により同時に駆動するように構成することができる（請求項２）。
【００１２】
標的片は窓口の位置からの落下とその位置へのリセットと上下動を繰り返すものであるので、常に上下動位置にあるようにガイドを設けることができる。また、リセット操作には、リモコン（遠隔制御装置）を使用できることが望ましく、ターゲット装置の使用に当たっては、ターゲット装置全体を覆う回収ボックスを併用することが望ましい。
【００１３】
回転表示板は所望の歯数を有する回転歯車を具備し、上記歯車に噛み合い、また離れるように設けられたラックの移動によって一時的に駆動され、その後自由回転可能に設けられている構成を取ることができる（請求項３）。
【発明の効果】
【００１４】
本発明は以上のように構成されかつ作用するものであるから、模擬銃の標的として使用するとともに、ゲームを楽しむこともできる模擬銃用ルーレット式ターゲット装置を提供することができる。
【発明を実施するための最良の形態】
【００１５】
以下図示の実施形態を参照して本発明をより詳細に説明する。図１は、本発明の模擬銃用ルーレット式ターゲット装置１０の一例を示すもので、発射された弾丸Ｂを回収するために、額縁状の正面開口を有する回収ボックス１１とともに図示されている。本発明に係るターゲット装置１０は、装置本体の正面に、弾丸を当てる標的の一部を構成する開口部１２を有する正面板１３を具備している。図示の例では、数字のみを表示１４として回転面に複数個配列した回転表示板１５を具備しており（図３参照）、従って開口部１２も３箇所が横に並んで開口している。回転表示板１５は、ルーレットでいえば回転円盤に相当する。
【００１６】
本ターゲット装置１０では、１個の回転表示板１５に記載されている上記複数個の表示１４のうちの１箇所の表示１４だけをあらわす一方、他の表示１４を覆い隠しておくために、標的片１６を上記正面板１３と回転表示板１５との間に配置する。標的片１６は、数字に適合した大きさと形状を有する窓口１７を上部に形成し、弾丸Ｂを受ける凸状の標的部１８を下部に設けた縦長板状の部材から成り、上記標的部１８にて前記開口部１２に配置されるとともに、弾丸Ｂの命中により落下可能に構成されている。１８ａは上記標的部下端を示しており、セット状態において開口部１２の縁１２ａに係止し、標的片１６により回転表示板１５の表示１４を覆い隠す状態を保つ（図１〜図４参照）。
【００１７】
図において、１９は保護カバーであり、正面板１３の前面に配置されている。保護カバー１９は開口部１２と同位置に形成した前部開口１９ａを有しており、正面板１３から浮かせて配置されるように、長く形成した取り付け軸２０を四隅に有し、ボルトより成る取り付け具２０ａを用いて取り付けられている。
【００１８】
本ターゲット装置１０では、標的部１８の下端１８ａを開口部１２の掛け止め部１２ａに掛け止めるために、標的片１６を、開口部１２の後方から前方へ押す押圧部２１を具備している。押圧部２１は凸状の標的部１８が開口部１２に嵌まり込んでいる状態において、標的片１６を前下方へ押す前上がりの斜面を持つ弾性部材２２の先端部に設けられている。図示の弾性部材２２はほぼＵ字型のトーションばねから成り、本体内部に吊り下げられた状態で取り付けられている。
【００１９】
正面板１３の後側には、標的片１６の厚みよりもやや大きい間隔で中間板２３を設置している。中間板２３は正面板１３との間の狭い空所２４にて標的片１６を上下方向へのみ移動可能に配置している。空所２４を構成する正面板１３と中間板２３の両板面の間は、標的片１６の最大厚みよりも大きいが、標的片受け部２５に受け止められる標的片１６が標的片受け部２５から外れるほどではない程度の間隔に設定されている。
【００２０】
中間板２３の後側には、リセット板２６が上下方向へ移動可能に配置されており、そのリセット板２６に、上記の標的片受け部２５が設けられている。標的片受け部２５は標的片１６を下部で支える突起から成り、その突起と同じ幅で中間板２３に形成されている、上下方向のガイド溝２７を通して正面板１３と中間板２３の間の空所２４に突き出している。標的片受け部２５は前下がりの傾斜面を有しており、この傾斜面により標的片１６の下部を前上方へ向けている。
【００２１】
中間板２３の背後には裏面板２８が設置されており、裏面板２８は前部の正面板１３及び保護カバー１９と一体に結合され、全体として扁平な本発明のターゲット装置１０の後面形状を形成する。裏面板２８は、その下部上下に挿通孔２９ａ、２９ｂを有しており、その挿通孔２９ａには裏面板２８の背後に設置されている、動力機構３０に設けられたカム円盤３１の軸３１ａが回転可能に配置され、また、挿通孔２９ｂには上記動力機構３０に設けられた後述する螺旋カム３８の軸３８ａが回転可能に配置されている。
【００２２】
さらに、カム円盤３１には軸３１ａから所要半径にカムピン３２が取り付けられ、カムピン３２は前記リセット板２６に形成された横長孔３３と係合している（図６参照）。よって、カム円盤３１の回転に伴いリセット板２６を上下にスライドさせ、その標的片受け部２５の前下がり傾斜面付近に載置されている標的片１６をリセット位置まで上昇させるように設けられている（図７参照）。
【００２３】
さらに本発明のターゲット装置１０において、回転表示板１５は所望の歯数を有する回転歯車３４を具備し、上記回転歯車３４に噛み合い、また離れるように設けられたラック体３５の移動によって一時的に駆動され、その後、自由回転可能に設けられている。即ち、回転歯車３４は軸３４ａによって本体に軸支されており、ラック体３５は回転歯車３４に噛み合うラック歯３６を回転歯車３４と同数個、間欠的に設けた構成を有している（図８以下参照）。
【００２４】
図中、３７はラック体付勢手段を示しており、図示の例では、ラック体３５を長手方向に一方向付勢しているコイルばねより成る引きばねである。これに、前述の螺旋カム３８が対抗しており、そのカム面３８ｂにラック側摺動ピン３５ａが摺接しながら、回転軸３８ａに近い位置から離れた位置まで移動することによって、回転歯車３４とラック歯３６の係合と、回転表示板１５の自由回転を行うように構成されている。
【００２５】
裏面板２８には受光基盤３９が設けられており、リモコン４０の操作によりリセットすることができる構成である。図中、１３ｂ、１９ｂは、受光部３９ａに赤外光線を導く窓を示す。また、４１は電源、４２はモーター、４３はギヤユニット、４４はリセットスイッチを示す。なお、正面板１３が装置設置面から所望の角度で後方へ傾斜して支えられるように、本ターゲット装置１０に支え手段としての可動スタンドも使用される。
【００２６】
上記のリセットスイッチ４４はメインスイッチとは別に設けられており、図５に示したようにカム円板４５の回転によりオン・オフされるもので、本体側に配置された正負１対より成るスイッチ片４６と、カム円板４５が待機状態（或いは回転の初期位置）にあるときに円板外周の６時方向の位置に形成した非加圧部４７としての凹部と、それ以外の円板外周を利用する加圧部分４８を有している。スイッチ片４６は突起を有し、加圧部分４８に押されてスイッチ片４６同士が接触した時に通電状態になる。
【００２７】
このように構成されている本発明の作動について次に説明する。本発明のターゲット装置１０がセットされている作動状態において、標的片１６は、凸状の標的部１８が開口部１２に嵌まり込んでおり（図７参照）、リセット板２６は図７の状態から下降して図１０の状態にある。従ってプレイヤーがエアソフトガンから発射した弾丸Ｂが上記標的部１８に命中すると、開口部１２の掛け止め部１２ａに掛け止められている標的部１８の下端１８ａが命中の衝撃で外れ、標的片１６は下位にあるリセット板２６の上に落下するので、その窓口１７に背後の回転表示板１５に記載された表示１４があらわれ、装置正面のプレイヤーに目視される。
【００２８】
上記と同じ動作が標的片１６の全てについてなされると、３箇所の窓口１７には表示が並ぶことになり、図示の例では三桁の数字が表示されることになる。そこで、ゲーム参加者が開始に先立ってあらかじめ決めて置いた三桁の数字と、弾丸命中により窓口１７にあらわれた数字とを比較し、的中者或いは窓口１７にあらわれた数字に最も近い者を勝者として、得点を記録することを繰り返すようなゲームを行うことができる。表示１４が図柄の場合には、図柄合せ、例えば同じ図柄がそろったかどうか或いは同じ図柄の個数などによって勝敗を決めることになる。
【００２９】
すべての標的片１６が弾丸命中により落下したら、リモコン４０を用いてリセット操作を行う。リセット操作の開始により動力機構３０が始動し、それによってカム円板４８の１回転する間に、以下の全てのリセットが完了する。即ち、カム円盤３１の回転によりリセット板２６が上昇し、それとともに標的片１６が上昇すると上端では押圧部２１に接触し、下端では標的片受け部２５に乗っている標的片１６を前方へ押すことになる（図４参照）。その結果、凸状の標的部１８が開口部１２に嵌り込んで、標的片１６のリセットを完了する。
【００３０】
一方、動力機構３０が始動すると螺旋カム３８が回転し、その外周のカム面３８ｂがラック側摺動ピン３５ａを介してラック体３５を押し動かすことになり（図８）、ラック体３５に設けられているラック歯３６が回転歯車３４と噛み合う作用をするようになる（図９）。即ち、上記ラック歯３６と回転歯車３４とは係合部材を構成しており、これらの一時的係合によって駆動された状態が起こり（図８）、その後自由回転に変わり（図９）、ラック体３５の戻り時に噛み合い、任意の点で停止する（図１０）。かくして上記回転歯車３４と一体の回転表示板１５が回転し、板面の表示１４の回転位置がランダムに決まるものである（図１）。
【図面の簡単な説明】
【００３１】
【図１】本発明に係る模擬銃用ルーレット式ターゲット装置の一例を示す斜視図である。
【図２】同上装置の保護カバーを外した斜視図である。
【図３】同上装置の構成部材を示すもので、Ａは回転表示板の、Ｂは標的片の斜視図である。
【図４】同上装置の要部断面図である。
【図５】同上装置の動力部を示すブロック図である。
【図６】同上装置の作動に関して、標的片リセット前の状態を示す説明図である。
【図７】同じく作動に関して、標的片リセット中の状態を示す説明図である。
【図８】同じく作動に関して、回転表示板のリセット状態を示す説明図である。
【図９】同じく回転表示板のリセット中の状態を示す説明図である。
【図１０】同じく回転表示板のリセットより復帰後の状態を示す説明図である。
【符号の説明】
【００３２】
１０  ターゲット装置
１１  回収ボックス
１２  開口部
１３  正面板
１４  表示（数字）
１５  回転表示板
１６  標的片
１７  窓口
１８  標的部
１９  保護カバー
２０  取り付け軸
２１  押圧部
２２  弾性部材
２３  中間板
２４  空所
２５  標的片受け部
２６  リセット板
２７  ガイド溝
２８  裏面板
２９ａ、２９ｂ  軸孔
３０  動力機構
３１  カム円盤
３２  カムピン
３３  横長孔
３４  回転歯車
３５  ラック体
３６  ラック歯
３７  ラック体付勢手段
３８  螺旋カム
３９  受光基盤
４０  リモコン
４１  電源
４２  モーター
４３  ギヤユニット
４４  リセットスイッチ
４５  カム円板
４６  一対のスイッチ片
４７  非加圧部
４８  加圧部
【図１】
2010035883.tif 000003
【図２】
2010035883.tif 000004
【図３】
2010035883.tif 000005
【図４】
2010035883.tif 000006
【図５】
2010035883.tif 000007
【図６】
2010035883.tif 000008
【図７】
2010035883.tif 000009
【図８】
2010035883.tif 000010
【図９】
2010035883.tif 000011
【図１０】
2010035883.tif 000012